(57)【要約】【課題】ポケットに固い物を収容して座ってもポケット内の物に強い力が加わりにくく、着用者が立った状態でも座った状態でもポケットに対し容易に物の出し入れを行うことができ、外観に違和感が生じにくいズボンを提供する。【解決手段】ズボン１の右前部分を構成する右身頃１１Ｒの腰回りの長さは、ズボン１の右後部分を構成する右後ろ身頃１１２Ｒの腰回りの長さより長く、右前身頃１１１Ｒと右後ろ身頃１１２Ｒの縫い合わせライン１１３Ｒは着用者の右体側の水平方向における中央より後ろに位置している。第１右ポケット袋布１２Ｒは右前身頃１１１Ｒの内側に、第２右ポケット袋布１３Ｒは第１右ポケット袋布１２Ｒの内側に取り付けられている。第１右ポケット袋布１２Ｒは開口部１２１Ｒから下方向に延伸する収容空間を、第２右ポケット袋布１３Ｒは開口部１３１Ｒから後下方向に延伸する収容空間を形成する。【選択図】図２
2017172079.tif 000002
【特許請求の範囲】
【請求項１】
着用者の腰と、右脚の少なくとも一部と、左脚の少なくとも一部とを覆う本体部と、
前記本体部の右側部分を構成する右身頃と前記着用者の身体との間に配置され、前記着用者が直立した状態において、前記着用者の右下腹部から右体側の水平方向における中央位置より後ろに至る範囲で上方向に開口する開口部を有し、前記開口部から下方向または後下方向に延伸する収容空間を形成するポケット袋布と
を備えるズボン。
【請求項２】
前記右身頃は、前記着用者の右腰前部と、右脚前部の少なくとも一部とを覆う右前身頃と、前記着用者の右腰後部と、右脚後部の少なくとも一部とを覆う右後ろ身頃とを筒状に縫い合わせて形成され、
前記右前身頃の前記着用者の腰回りにおける長さは、前記右後ろ身頃の前記着用者の腰回りにおける長さより長く、
前記ポケット袋布は前記右前身頃に取り付けられている
請求項１に記載のズボン。
【請求項３】
前記ポケット袋布は、前記着用者が起立した状態において、前記開口部から後下方向に延伸する収容空間を形成し、
前記開口部の縁部のラインが前下がりに傾斜している
請求項１または２に記載のズボン。
【請求項４】
前記右身頃と前記ポケット袋布との間に配置されるプリーツを備える
請求項１乃至３のいずれか１項に記載のズボン。
【請求項５】
前記ポケット袋布を第１のポケット袋布とするとき、
前記右身頃と前記着用者の身体との間に配置され、前記着用者が起立した状態において、前記着用者の右下腹部から右体側に至る範囲で上方向に開口する開口部を有し、当該開口部から下方向または後下方向であり前記第１のポケット袋布により形成される収容空間と異なる方向に延伸する収容空間を形成する第２のポケット袋布を備える
請求項１乃至４のいずれか１項に記載のズボン。
【請求項６】
前記着用者が起立した状態において、前記第１のポケット袋布が形成する収容空間の底部の上下方向における位置と、前記第２のポケット袋布が形成する収容空間の底部の上下方向における位置が異なる
請求項５に記載のズボン。
【請求項７】
着用者の腰と、右脚の少なくとも一部と、左脚の少なくとも一部とを覆う本体部と、
前記本体部の左側部分を構成する左身頃と前記着用者の身体との間に配置され、前記着用者が起立した状態において、前記着用者の左下腹部から左体側の水平方向における中央位置より後ろに至る範囲で上方向に開口する開口部を有し、前記開口部から下方向または後下方向に延伸する収容空間を形成するポケット袋布と
を備えるズボン。
【請求項８】
前記左身頃は、前記着用者の左腰前部と、左脚前部の少なくとも一部とを覆う左前身頃と、前記着用者の左腰後部と、左脚後部の少なくとも一部とを覆う左後ろ身頃とを筒状に縫い合わせて形成され、
前記左前身頃の前記着用者の腰回りにおける長さは、前記左後ろ身頃の前記着用者の腰回りにおける長さより長く、
前記ポケット袋布は前記左前身頃に取り付けられている
請求項７に記載のズボン。
【請求項９】
前記ポケット袋布は、前記着用者が起立した状態において、前記開口部から後下方向に延伸する収容空間を形成し、
前記開口部の縁部のラインが前下がりに傾斜している
請求項７または８に記載のズボン。
【請求項１０】
前記左身頃と前記ポケット袋布との間に配置されるプリーツを備える
請求項７乃至９のいずれか１項に記載のズボン。
【請求項１１】
前記ポケット袋布を第１のポケット袋布とするとき、
前記左身頃と前記着用者の身体との間に配置され、前記着用者が起立した状態において、前記着用者の左下腹部から左体側に至る範囲で上方向に開口する開口部を有し、当該開口部から下方向または後下方向であり前記第１のポケット袋布により形成される収容空間と異なる方向に延伸する収容空間を形成する第２のポケット袋布を備える
請求項７乃至１０のいずれか１項に記載のズボン。
【請求項１２】
前記着用者が起立した状態において、前記第１のポケット袋布が形成する収容空間の底部の上下方向における位置と、前記第２のポケット袋布が形成する収容空間の底部の上下方向における位置が異なる
請求項１１に記載のズボン。
【発明の詳細な説明】
【技術分野】
【０００１】
本発明はズボンに関する。
【背景技術】
【０００２】
多くのズボンにはポケットが設けられている。ズボンに設けられているポケットの形状、位置、サイズには様々なバリエーションがあるが、ビジネスシーンにおいて広く着用されているズボンは、着用者の左右の腰骨の下辺りに上下方向に延伸する開口部を有し、当該開口部から前下方向に延伸するポケットを備えている。図８〜図１１は、そのようなポケットを左右に備えるズボン９を示した図である。図８はズボン９の正面図、図９はズボン９の右側面図、図１０はズボン９の左側面図、図１１はズボン９の背面図である。なお、図８〜図１１において、破線はズボン９が有するポケットを形成するポケット袋布の外縁を示している。
【０００３】
ズボン９は、着用者の右腰と右脚を覆う筒状体である右身頃９１Ｒと、着用者の左腰と左脚を覆う筒状体である左身頃９１Ｌとを、着用者のへそ辺りの位置から股間を通って背骨へと向かうラインで縫い合わせることにより形成されている。
【０００４】
右身頃９１Ｒは、着用者の右腰前部（右下腹部）および右脚前部を覆う右前身頃９１１Ｒと、着用者の右腰後部（右臀部）および右脚後部を覆う右後ろ身頃９１２Ｒとを、着用者の右腰骨から右外踝へと向かうラインおよび着用者の股間から右内踝へと向かうラインで縫い合わせることにより形成されている。
【０００５】
左身頃９１Ｌは、着用者の左腰前部（左下腹部）および左脚前部を覆う左前身頃９１１Ｌと、着用者の左腰後部（左臀部）および左脚後部を覆う左後ろ身頃９１２Ｌとを、着用者の左腰骨から左外踝へと向かうラインおよび着用者の股間から左内踝へと向かうラインで縫い合わせることにより形成されている。
【０００６】
右前身頃９１１Ｒ、右後ろ身頃９１２Ｒ、左前身頃９１１Ｌおよび左後ろ身頃９１２Ｌが、ズボン９の本体部を構成する。
【０００７】
ズボン９は、本体部に加え、着用者が右手を用いて物を出し入れするための収容空間を形成する右前ポケット袋布９２Ｒおよび右後ポケット袋布９３Ｒと、着用者が左手を用いて物を出し入れするための収容空間を形成する左前ポケット袋布９２Ｌおよび左後ポケット袋布９３Ｌとを有する。
【０００８】
右前ポケット袋布９２Ｒは着用者の右腰骨の下辺りにおいて、右前身頃９１１Ｒの内側（着用者の身体側）に配置される袋状の構成部である。右前ポケット袋布９２Ｒは開口部９２１Ｒを有する。開口部９２１Ｒは、縁部のラインが右前身頃９１１Ｒと右後ろ身頃９１２Ｒの縫い合わせライン９１３Ｒに沿うように配置されている。右前ポケット袋布９２Ｒは、開口部９２１Ｒから前下方向に延伸する収容空間を形成し、着用者はズボン９の外部から開口部９２１Ｒを通じて収容空間に対する収容物の出し入れを行うことができる。
【０００９】
左前ポケット袋布９２Ｌは着用者の左腰骨の下辺りにおいて、左前身頃９１１Ｌの内側（着用者の身体側）に配置される袋状の構成部である。左前ポケット袋布９２Ｌは開口部９２１Ｌを有する。開口部９２１Ｌは、縁部のラインが左前身頃９１１Ｌと左後ろ身頃９１２Ｌの縫い合わせライン９１３Ｌに沿うように配置されている。左前ポケット袋布９２Ｌは、開口部９２１Ｌから前下方向に延伸する収容空間を形成し、着用者はズボン９の外部から開口部９２１Ｌを通じて収容空間に対する収容物の出し入れを行うことができる。
【００１０】
右前ポケット袋布９２Ｒの一部は、図８に示されるように、着用者の右鼠蹊部（右大腿部の付け根部）を覆う。また、左前ポケット袋布９２Ｌの一部は、図８に示されるように、着用者の左鼠蹊部（左大腿部の付け根部）を覆う。従って、右前ポケット袋布９２Ｒまたは左前ポケット袋布９２Ｌが形成する収容空間に、例えばスマートフォンのような固い収容物を収容した状態で着用者が座ると、収容物が下腹部と大腿部とに挟まれる。その結果、収容物が破損したり、収容物が着用者の身体に強く当たり不快に感じたりする場合がある。
【００１１】
右後ポケット袋布９３Ｒは着用者の右臀部に配置され、左後ポケット袋布９３Ｌは着両者の左臀部に配置される。右後ポケット袋布９３Ｒまたは左後ポケット袋布９３Ｌが形成する収容空間は、着用者が座ると、右臀部または左臀部により強く押しつぶされる。従って、右後ポケット袋布９３Ｒまたは左後ポケット袋布９３Ｌが形成する収容空間に、例えばスマートフォンのような固い収容物が収容された状態で着用者が座ると、収容物が破損したり、収容物が収容空間から押し出されて落下したりする場合がある。
【００１２】
上記の不都合は、ズボン９とは異なるタイプのズボンの多くにおいても同様に生じる。例えば、図１２はカジュアルシーンにおいて広く着用されているタイプのズボンの正面図である。図１２に例示のズボン１０は、右前身頃１００Ｒに取り付けられた右前ポケット袋布１０１Ｒと、左前身頃１００Ｌに取り付けられた左前ポケット袋布１０１Ｌを備える。右前ポケット袋布１０１Ｒは着用者の右下腹部において概ね上方向に開口する開口部１０１１Ｒを有し、左前ポケット袋布１０１Ｌは着用者の左下腹部において概ね上方向に開口する開口部１０１１Ｌを有している。
【００１３】
ズボン１０が備える右前ポケット袋布１０１Ｒの一部は、図１２に示されるように、着用者の右鼠蹊部を覆う。また、左前ポケット袋布１０１Ｌの一部は、図１２に示されるように、着用者の左鼠蹊部を覆う。従って、ズボン９における場合と同様に、右前ポケット袋布１０１Ｒまたは左前ポケット袋布１０１Ｌが形成する収容空間に固い収容物を収容した状態で着用者が座ると、収容物が破損したり、収容物が着用者の身体に強く当たり不快に感じたりする場合がある。
【００１４】
上記の不都合を解消するために、ポケットの形状、位置、サイズに工夫がなされたズボンがある。
【００１５】
例えば、特許文献１には、ズボン脇ポケットに物を入れた時、正面が盛り上がらないように、ポケット内袋の底部の一部が外側脇縫い線より尻側に、またその反対側の底部は正面折り目より外側に位置するようにポケット内袋が取り付けられたズボンが提案されている。
【００１６】
また、特許文献２および特許文献３には、着用者が座った状態で物の出し入れが容易なように、着用者の大腿部側面に、着用者が直立姿勢を取ったときに後下方向に延伸するポケットが設けられたズボンが提案されている。
【００１７】
また、特許文献４には、着用者が立位の状態で物の出し入れを行うための後側の開口部と、着用者が座位の状態で物の出し入れを行うための前側の開口部を有するポケットが着用者の腰部側面に設けられたズボンが提案されている。
【先行技術文献】
【特許文献】
【００１８】
【特許文献１】特開２０１４−０１９９９８号公報
【特許文献２】特許第５６３７６３９号明細書
【特許文献３】登録実用新案第３０５３２１２号公報
【特許文献４】実公昭４８―３９３７２号公報
【発明の概要】
【発明が解決しようとする課題】
【００１９】
特許文献１に記載のズボンの着用者は、座った状態でポケットに対する物の出し入れを容易に行うことができない。また、ポケットの収容空間の中央部が着用者の膝の付け根辺りに位置するため、スマートフォンのようにポケットの収容空間の大半を占める大きさの収容物がポケットの収容された場合、着用者が不快に感じたり収容物が破損したりする可能性が高い。
【００２０】
特許文献２または特許文献３に記載のズボンの着用者は、座った状態でポケットに対する物の出し入れを行うことができ、また、着用者が座った場合に不快に感じたり収容物が破損したりする可能性は低い。しかしながら、特許文献２または特許文献３に記載のズボンに設けられたポケットは着用者が立った状態では手を伸ばさなければ届かず不便である。また、特許文献２に記載のズボンはポケットがズボンの本体部の外側に取り付けられており、その位置と相まって、見る者にカジュアルな印象を与える。従って、特許文献２に記載のズボンは、例えばオフィスワーカーが勤務中に着用するには適さない場合がある。また、特許文献３に記載のズボンは、ポケットに収容物が入っていると大腿部の膝に近い部分が盛り上がり、見る人に違和感を与える場合がある。
【００２１】
特許文献４に記載のズボンは、着用者が立った状態でも座った状態でもポケットに対する物の出し入れを行うことができる。しかしながら、特許文献４に記載のズボンのポケットは複数の開口部を有するため、開口部を閉じなければ収容物がポケットから外に出やすいという不便さがある。また、特許文献４に記載のズボンのポケットはズボンの本体部の外側に取り付けられており、見る者にカジュアルな印象を与える。従って、特許文献４に記載のズボンは、例えばオフィスワーカーが勤務中に着用するには適さない場合がある。
【００２２】
本発明は、ポケットの収容空間に当該収容空間の大半を占める大きさの固い収容物を収容した状態で着用者が座っても収容物に強い力が加わることがなく、着用者が直立した状態でも座った状態でも収容物の出し入れが容易であり、ポケットに収容物が収容された状態でも外観に違和感が生じにくいズボンを提供することを目的とする。
【課題を解決するための手段】
【００２３】
上述した課題を解決するため、本発明は、着用者の腰と、右脚の少なくとも一部と、左脚の少なくとも一部とを覆う本体部と、前記本体部の右側部分を構成する右身頃と前記着用者の身体との間に配置され、前記着用者が直立した状態において、前記着用者の右下腹部から右体側の水平方向における中央位置より後ろに至る範囲で上方向に開口する開口部を有し、前記開口部から下方向または後下方向に延伸する収容空間を形成するポケット袋布とを備えるズボンを第１の態様として提案する。
【００２４】
また、本発明は、上記の第１の態様において、前記右身頃は、前記着用者の右腰前部と、右脚前部の少なくとも一部とを覆う右前身頃と、前記着用者の右腰後部と、右脚後部の少なくとも一部とを覆う右後ろ身頃とを筒状に縫い合わせて形成され、前記右前身頃の前記着用者の腰回りにおける長さは、前記右後ろ身頃の前記着用者の腰回りにおける長さより長く、前記ポケット袋布は前記右前身頃に取り付けられている、という構成を第２の態様として提案する。
【００２５】
また、本発明は、上記の第１または第２の態様において、前記ポケット袋布は、前記着用者が直立した状態において、前記開口部から後下方向に延伸する収容空間を形成し、前記開口部の縁部のラインが前下がりに傾斜している、という構成を第３の態様として提案する。
【００２６】
また、本発明は、上記の第１乃至第３のいずれかの態様において、前記右身頃と前記ポケット袋布との間に配置されるプリーツを備える、という構成を第４の態様として提案する。
【００２７】
また、本発明は、上記の第１乃至第４のいずれかの態様において、前記ポケット袋布を第１のポケット袋布とするとき、前記右身頃と前記着用者の身体との間に配置され、前記着用者が直立した状態において、前記着用者の右下腹部から右体側に至る範囲で上方向に開口する開口部を有し、当該開口部から下方向または後下方向であり前記第１のポケット袋布により形成される収容空間と異なる方向に延伸する収容空間を形成する第２のポケット袋布を備える、という構成を第５の態様として提案する。
【００２８】
また、本発明は、上記の第５の態様において、前記着用者が直立した状態において、前記第１のポケット袋布が形成する収容空間の底部の上下方向における位置と、前記第２のポケット袋布が形成する収容空間の底部の上下方向における位置が異なる、という構成を第６の態様として提案する。
【００２９】
また、本発明は、着用者の腰と、右脚の少なくとも一部と、左脚の少なくとも一部とを覆う本体部と、前記本体部の左側部分を構成する左身頃と前記着用者の身体との間に配置され、前記着用者が直立した状態において、前記着用者の左下腹部から左体側の水平方向における中央位置より後ろに至る範囲で上方向に開口する開口部を有し、前記開口部から下方向または後下方向に延伸する収容空間を形成するポケット袋布とを備えるズボンを第７の態様として提案する。
【００３０】
また、本発明は、上記の第７の態様において、前記左身頃は、前記着用者の左腰前部と、左脚前部の少なくとも一部とを覆う左前身頃と、前記着用者の左腰後部と、左脚後部の少なくとも一部とを覆う左後ろ身頃とを筒状に縫い合わせて形成され、前記左前身頃の前記着用者の腰回りにおける長さは、前記左後ろ身頃の前記着用者の腰回りにおける長さより長く、前記ポケット袋布は前記左前身頃に取り付けられている、という構成を第８の態様として提案する。
【００３１】
また、本発明は、上記の第７または第８の態様において、前記ポケット袋布は、前記着用者が直立した状態において、前記開口部から後下方向に延伸する収容空間を形成し、前記開口部の縁部のラインが前下がりに傾斜している、という構成を第９の態様として提案する。
【００３２】
また、本発明は、上記の第７乃至第９のいずれかの態様において、前記左身頃と前記ポケット袋布との間に配置されるプリーツを備える、という構成を第１０の態様として提案する。
【００３３】
また、本発明は、上記の第７乃至第１０のいずれかの態様において、前記ポケット袋布を第１のポケット袋布とするとき、前記左身頃と前記着用者の身体との間に配置され、前記着用者が直立した状態において、前記着用者の左下腹部から左体側に至る範囲で上方向に開口する開口部を有し、当該開口部から下方向または後下方向であり前記第１のポケット袋布により形成される収容空間と異なる方向に延伸する収容空間を形成する第２のポケット袋布を備える、という構成を第１１の態様として提案する。
【００３４】
また、本発明は、上記の第１１の態様において、前記着用者が直立した状態において、前記第１のポケット袋布が形成する収容空間の底部の上下方向における位置と、前記第２のポケット袋布が形成する収容空間の底部の上下方向における位置が異なる、という構成を第１２の態様として提案する。
【発明の効果】
【００３５】
本発明の上記の第１または第７の態様にかかるズボンによれば、ポケット袋布により形成される収容空間が着用者の鼠蹊部に重ならず、着用者が座った状態でも収容物に強い力が加わりにくい。また、本発明の上記の第１または第７の態様にかかるズボンによれば、ポケット袋布が着用者の腰辺りにおいて上方向に開口するため、着用者は立った状態でも座った状態でも収容空間に対する収容物の出し入れを容易に行うことができ、また、外観において違和感が生じにくい。
【００３６】
また、本発明の上記の第２または第８の態様にかかるズボンによれば、前身頃にポケット袋布が取り付けられるため、例えば前身頃と後ろ身頃にまたがるようにポケット袋布が取り付けられる場合と比較し、製造が容易である。
【００３７】
また、本発明の上記の第３または第９の態様にかかるズボンによれば、着用者は後下方向に延伸する収容空間に対する収容物の出し入れを容易に行うことができる。
【００３８】
また、本発明の上記の第４または第１０の態様にかかるズボンによれば、プリーツにより収容空間が拡がるため、例えばスマートフォンのような厚みのある収容物が収容空間に収容されても、収容物に強い力が加わりにくい。
【００３９】
また、本発明の上記の第５または第１１の態様にかかるズボンによれば、着用者は身体の右側または左側において、２つの分離された収容空間の各々に対し収容物を出し入れすることができる。２つの収容空間の延伸方向が異なるため、２つの収容空間の各々に同時に収容物が収容された場合であっても、それらの収容物どうしがぶつかり合いにくい。
【００４０】
また、本発明の上記の第６または第１２の態様にかかるズボンによれば、隣接する２つの収容空間の各々の底部に留まる収容物どうしがぶつかり合いにくい。
【図面の簡単な説明】
【００４１】
【図１】一実施形態にかかるズボンの正面図。
【図２】一実施形態にかかるズボンの右側面図。
【図３】一実施形態にかかるズボンの左側面図。
【図４】一実施形態にかかるズボンの背面図。
【図５】一実施形態にかかるズボンの第１右ポケット袋布により形成される収容空間の延伸方向を示した図。
【図６】一実施形態にかかるズボンの第２右ポケット袋布により形成される収容空間の延伸方向を示した図。
【図７】一変形例にかかるズボンの右側面図。
【図８】従来技術にかかるズボンの正面図。
【図９】従来技術にかかるズボンの右側面図。
【図１０】従来技術にかかるズボンの左側面図。
【図１１】従来技術にかかるズボンの背面図。
【図１２】従来技術にかかるズボンの正面図。
【発明を実施するための形態】
【００４２】
［実施形態］
以下に、本発明の一実施形態にかかるズボン１を説明する。図１〜図４はズボン１を示した図である。図１はズボン１の正面図、図２はズボン１の右側面図、図３はズボン１の左側面図、図４はズボン１の背面図である。なお、図１〜図４において、破線はズボン１が有するポケットを形成するポケット袋布の外縁を示している。
【００４３】
本願において、上下、前後または左右は、特に断らない限り、着用者が直立した状態における上下、前後または左右をいうものとする。
【００４４】
ズボン１は、着用者の右腰と右脚を覆う筒状体である右身頃１１Ｒと、着用者の左腰と左脚を覆う筒状体である左身頃１１Ｌとを、着用者のへそ辺りの位置から股間を通って背骨へと向かうラインで縫い合わせることにより形成されている。
【００４５】
右身頃１１Ｒは、着用者の右腰前部（右下腹部）および右脚前部を覆う右前身頃１１１Ｒと、着用者の右腰後部（右臀部）および右脚後部を覆う右後ろ身頃１１２Ｒとを、着用者の右体側の水平方向における中央より後ろの位置から右外踝より後ろの位置へと向かうラインおよび着用者の股間から右内踝へと向かうラインで縫い合わせることにより形成されている。
【００４６】
右前身頃１１１Ｒの腰回りの長さは、右後ろ身頃１１２Ｒの腰回りの長さより長い。また、右前身頃１１１Ｒの足首回りの長さは、右後ろ身頃１１２Ｒの足首回りの長さより長い。従って、右身頃１１Ｒの側面の縫い合わせライン１１３Ｒは、従来技術にかかるズボン９の右身頃９１Ｒの側面の縫い合わせライン９１３Ｒ（図９参照）より着用者の背面側に位置している。
【００４７】
左身頃１１Ｌは、着用者の左腰前部（左下腹部）および左脚前部を覆う左前身頃１１１Ｌと、着用者の左腰後部（左臀部）および左脚後部を覆う左後ろ身頃１１２Ｌとを、着用者の左体側の水平方向における中央より後ろの位置から左外踝より後ろの位置へと向かうラインおよび着用者の股間から左内踝へと向かうラインで縫い合わせることにより形成されている。
【００４８】
左前身頃１１１Ｌの腰回りの長さは、左後ろ身頃１１２Ｌの腰回りの長さより長い。また、左前身頃１１１Ｌの足首回りの長さは、左後ろ身頃１１２Ｌの足首回りの長さより長い。従って、左身頃１１Ｌの側面の縫い合わせライン１１３Ｌは、従来技術にかかるズボン９の左身頃９１Ｌの側面の縫い合わせライン９１３Ｌ（図１０参照）より着用者の背面側に位置している。
【００４９】
右前身頃１１１Ｒ、右後ろ身頃１１２Ｒ、左前身頃１１１Ｌおよび左後ろ身頃１１２Ｌが、ズボン１の本体部を構成する。
【００５０】
ズボン１は、本体部に加え、着用者が通常右手を用いて物を出し入れするための収容空間を形成する第１右ポケット袋布１２Ｒおよび第２右ポケット袋布１３Ｒと、着用者が通常左手を用いて物を出し入れするための収容空間を形成する第１左ポケット袋布１２Ｌおよび第２左ポケット袋布１３Ｌとを有する。
【００５１】
第１右ポケット袋布１２Ｒは着用者の右腰骨の下辺りにおいて右前身頃１１１Ｒの内側（着用者の身体側）に取り付けられている。第１右ポケット袋布１２Ｒの開口部１２１Ｒは、着用者の右下腹部から縫い合わせライン１１３Ｒに至る範囲で上方向に開口している。
【００５２】
開口部１２１Ｒの縁部のラインは後ろ下がりに傾斜している。すなわち、着用者が直立した状態において、開口部１２１Ｒは縁部のラインは、右下腹部に位置する前側の端点から右体側に位置する後側の端点に向かい下がるように傾いている。
【００５３】
第１右ポケット袋布１２Ｒは、開口部１２１Ｒから下方向に延伸する収容空間を形成し、着用者はズボン１の外部から開口部１２１Ｒを通じて収容空間に対する収容物の出し入れを行うことができる。
【００５４】
なお、本願において収容空間の延伸方向とは、収容空間の開口部から底部へと向かう方向をいう。図５は第１右ポケット袋布１２Ｒにより形成される収容空間の延伸方向を示した図であり、図６は第２右ポケット袋布１３Ｒにより形成される収容空間の延伸方向を示した図である。図５および図６において矢印で示される方向が、収容空間の延伸方向である。図５および図６において、一点鎖線で示される長方形は、収容空間にちょうど入りきる大きさの板状の直方体の収容物を示している。収容空間の延伸方向は、例えばこれらの直方体の概ね上下方向に延伸する辺に沿った方向である。
【００５５】
第１右ポケット袋布１２Ｒと右前身頃１１１Ｒは、縫い合わせライン１１３Ｒに沿った部分において、プリーツ１２２Ｒを介して連結されている。プリーツ１２２Ｒにより、第１右ポケット袋布１２Ｒにより形成される収容空間は厚み方向に拡張可能である。そのため、着用者は、例えばスマートフォンや文庫本などの厚みを持った収容物を第１右ポケット袋布１２Ｒにより形成される収容空間に対し出し入れすることができる。
【００５６】
第２右ポケット袋布１３Ｒは着用者の右腰骨の下辺りにおいて第１右ポケット袋布１２Ｒの内側（着用者の身体側）に取り付けられている。第２右ポケット袋布１３Ｒの開口部１３１Ｒは、開口部１２１Ｒと同様に、着用者の右下腹部から縫い合わせライン１１３Ｒに至る範囲で上方向に開口している。
【００５７】
ただし、開口部１３１Ｒの縁部のラインは、開口部１２１Ｒの縁部のラインと異なり、前下がりに傾斜している。すなわち、着用者が直立した状態において、開口部１３１Ｒは縁部のラインは、右下腹部に位置する前側の端点から右体側に位置する後側の端点に向かい上がるように傾いている。なお、開口部１２１Ｒの縁部のラインの前側の端点と、開口部１３１Ｒの縁部のラインの前側の端点は一致している。
【００５８】
第２右ポケット袋布１３Ｒは、開口部１３１Ｒから後下方向（右臀部の下側に向かう方向）に延伸する収容空間を形成し、着用者はズボン１の外部から開口部１３１Ｒを通じて収容空間に対する収容物の出し入れを行うことができる。開口部１３１Ｒの縁部のラインが前下がりに傾斜しているため、着用者は第２右ポケット袋布１３Ｒにより形成される後下方向に延伸する収容空間に対する収容物の出し入れを行いやすい。第２右ポケット袋布１３Ｒの延伸方向の長さ（開口部から底部までの長さ）は、第１右ポケット袋布１２Ｒの延伸方向の長さより短い。
【００５９】
図２に示されるように、第１右ポケット袋布１２Ｒにより形成される収容空間と第２右ポケット袋布１３Ｒにより形成される収容空間は異なる方向に延伸する。また、第１右ポケット袋布１２Ｒにより形成される収容空間の底部は第２右ポケット袋布１３Ｒにより形成される収容空間の底部より下方に位置する。収容物は重力により収容空間の底部側に留まるが、第１右ポケット袋布１２Ｒにより形成される収容空間の底部の位置と第２右ポケット袋布１３Ｒにより形成される収容空間の底部の位置が異なるため、これらの隣接する収容空間の各々に収容された収容物がぶつかり合いにくい。
【００６０】
第１左ポケット袋布１２Ｌは着用者の左腰骨の下辺りにおいて左前身頃１１１Ｌの内側（着用者の身体側）に取り付けられている。第１左ポケット袋布１２Ｌの開口部１２１Ｌは、着用者の左下腹部から縫い合わせライン１１３Ｌに至る範囲で上方向に開口している。
【００６１】
開口部１２１Ｌの縁部のラインは後ろ下がりに傾斜している。すなわち、着用者が直立した状態において、開口部１２１Ｌは縁部のラインは、左下腹部に位置する前側の端点から左体側に位置する後側の端点に向かい下がるように傾いている。
【００６２】
第１左ポケット袋布１２Ｌは、開口部１２１Ｌから下方向に延伸する収容空間を形成し、着用者はズボン１の外部から開口部１２１Ｌを通じて収容空間に対する収容物の出し入れを行うことができる。
【００６３】
第１左ポケット袋布１２Ｌと左前身頃１１１Ｌは、縫い合わせライン１１３Ｌに沿った部分において、プリーツ１２２Ｌを介して連結されている。プリーツ１２２Ｌにより、第１左ポケット袋布１２Ｌにより形成される収容空間は厚み方向に拡張可能である。そのため、着用者は、例えばスマートフォンや文庫本などの厚みを持った収容物を第１左ポケット袋布１２Ｌにより形成される収容空間に対し出し入れすることができる。
【００６４】
第２左ポケット袋布１３Ｌは着用者の左腰骨の下辺りにおいて第１左ポケット袋布１２Ｌの内側（着用者の身体側）に取り付けられている。第２左ポケット袋布１３Ｌの開口部１３１Ｌは、開口部１２１Ｌと同様に、着用者の左下腹部から縫い合わせライン１１３Ｌに至る範囲で上方向に開口している。
【００６５】
ただし、開口部１３１Ｌの縁部のラインは、開口部１２１Ｌの縁部のラインと異なり、前下がりに傾斜している。すなわち、着用者が直立した状態において、開口部１３１Ｌは縁部のラインは、左下腹部に位置する前側の端点から左体側に位置する後側の端点に向かい上がるように傾いている。なお、開口部１２１Ｌの縁部のラインの前側の端点と、開口部１３１Ｌの縁部のラインの前側の端点は一致している。
【００６６】
第２左ポケット袋布１３Ｌは、開口部１３１Ｌから後下方向（左臀部の下側に向かう方向）に延伸する収容空間を形成し、着用者はズボン１の外部から開口部１３１Ｌを通じて収容空間に対する収容物の出し入れを行うことができる。開口部１３１Ｌの縁部のラインが前下がりに傾斜しているため、着用者は第２左ポケット袋布１３Ｌにより形成される後下方向に延伸する収容空間に対する収容物の出し入れを行いやすい。第２左ポケット袋布１３Ｌの延伸方向の長さ（開口部から底部までの長さ）は、第１左ポケット袋布１２Ｌの延伸方向の長さより短い。
【００６７】
図３に示されるように、第１左ポケット袋布１２Ｌにより形成される収容空間と第２左ポケット袋布１３Ｌにより形成される収容空間は異なる方向に延伸する。また、第１左ポケット袋布１２Ｌにより形成される収容空間の底部は第２左ポケット袋布１３Ｌにより形成される収容空間の底部より下方に位置する。収容物は重力により収容空間の底部側に留まるが、第１左ポケット袋布１２Ｌにより形成される収容空間の底部の位置と第２左ポケット袋布１３Ｌにより形成される収容空間の底部の位置が異なるため、これらの隣接する収容空間の各々に収容された収容物がぶつかり合いにくい。
【００６８】
図１に示されるように、第１右ポケット袋布１２Ｒ、第２右ポケット袋布１３Ｒ、第１左ポケット袋布１２Ｌおよび第２左ポケット袋布１３Ｌのいずれも、着用者の鼠蹊部と重ならない。従って、ズボン１によれば、着用者がこれらのポケット袋布により形成される収容空間に固い収容物を収容した状態で座っても、収容物に強い力が加わりにくい。従って、収容物に破損が生じたり、着用者が不快に感じたりする可能性が低い。
【００６９】
また、ズボン１によれば、第１右ポケット袋布１２Ｒ、第２右ポケット袋布１３Ｒ、第１左ポケット袋布１２Ｌおよび第２左ポケット袋布１３Ｌの開口部が腰回りにおいて上方向に開口しているため、着用者は立った状態でも座った状態でも、これらのポケット袋布により形成される収容空間に対し収容物の出し入れを容易に行うことができる。
【００７０】
また、ズボン１によれば、第１右ポケット袋布１２Ｒ、第２右ポケット袋布１３Ｒ、第１左ポケット袋布１２Ｌおよび第２左ポケット袋布１３Ｌが腰回りに位置するため、外観がカジュアルになり過ぎず、例えばオフィスワーカーが勤務中に着用しても違和感を生じにくい。
【００７１】
［変形例］
上述したズボン１は本発明の一実施形態であって、ズボン１は本発明の技術的思想の範囲内において様々に変形され得る。以下にそれらの変形の例を示す。なお、以下に示す変形の例の２以上が適宜組み合わされてもよい。
【００７２】
（１）上述した実施形態においては、右前身頃１１１Ｒの腰回りにおける長さが右後ろ身頃１１２Ｒの腰回りにおける長さより長く、縫い合わせライン１１３Ｒが着用者の右体側の水平方向における中央より後ろに位置し、第１右ポケット袋布１２Ｒおよび第２右ポケット袋布１３Ｒは右前身頃１１１Ｒに取り付けられている。これに代えて、右前身頃の腰回りにおける長さが右後ろ身頃の腰回りにおける長さと同じまたは短く、右前身頃と右後ろ身頃の縫い合わせラインが着用者の右体側の水平方向における中央より前に位置し、右ポケット袋布が右前身頃と右後ろ身頃にまたがるように取り付けられる構成が採用されてもよい。左前身頃、左後ろ身頃、左ポケット袋布に関しても同様である。
【００７３】
図７は、この変形例にかかるズボンの一例の右側面図である。図７に例示のズボン２の右前身頃２１１Ｒの腰回りにおける長さは、右後ろ身頃２１２Ｒの腰回りにおける長さより短い。従って、縫い合わせライン２１３Ｒは着用者の右体側の水平方向における中央よりやや前に位置している。右ポケット袋布２２Ｒは、右前身頃２１１Ｒと右後ろ身頃２１２Ｒの内側に、それらにまたがるように取り付けられている。右ポケット袋布２２Ｒは概ね上方向に開口する開口部２２１Ｒを有している。
【００７４】
図７に示されるように、前身頃と後ろ身頃の体側における縫い合わせラインの前後の位置にかかわらず、ポケット袋布の開口部の後側の端点が着用者の体側の水平方向における中央より後ろに位置し、これらの開口部から下方向または後下方向に延伸する収容空間が形成される限り、上述した実施形態におけるズボン１と同様の効果が得られる。
【００７５】
（２）上述した実施形態においては、第２右ポケット袋布１３Ｒが第１右ポケット袋布１２Ｒの内側（着用者の身体側）に配置されている。これに代えて、第１右ポケット袋布１２Ｒが第２右ポケット袋布１３Ｒの内側に配置される構成が採用されてもよい。第１左ポケット袋布１２Ｌと第２左ポケット袋布１３Ｌに関しても同様である。
【００７６】
（３）上述した実施形態においては、後下方向に延伸する収容空間を形成する第２右ポケット袋布１３Ｒの開口部１３１Ｒの後側の端点が、着用者の右体側の水平方向における中央より後ろに位置している。これに代えて、第２右ポケット袋布１３Ｒの開口部１３１Ｒの後側の端点が、着用者の右体側の水平方向における中央より前に位置していてもよい。第２右ポケット袋布１３Ｒにより形成される収容空間は、開口部１３１Ｒから後下方向に延伸するため、開口部１２１Ｒが開口部１３１Ｒより前側に位置していても、第２右ポケット袋布１３Ｒは着用者の右鼠蹊部に重ならない。第２左ポケット袋布１３Ｌの開口部１３１Ｌに関しても同様である。
【００７７】
（４）上述した実施形態においては、第１右ポケット袋布１２Ｒにより形成される収容空間の延伸方向は下方向である。これに代えて、第１右ポケット袋布１２Ｒにより形成される収容空間の延伸方向が後下方向であってもよい。ただし、第１右ポケット袋布１２Ｒにより形成される収容空間と第２右ポケット袋布１３Ｒにより形成される収容空間の重なり部分が少なくなるように、第１右ポケット袋布１２Ｒにより形成される収容空間の延伸方向は、第２右ポケット袋布１３Ｒにより形成される収容空間の延伸方向と異なることが望ましい。第１左ポケット袋布１２Ｌと第２左ポケット袋布１３Ｌに関しても同様である。
【００７８】
（５）上述した実施形態においては、第１右ポケット袋布１２Ｒの開口部１２１Ｒの縁部のラインは後下がりに傾斜している。これに代えて、第１右ポケット袋布１２Ｒの開口部１２１Ｒの縁部のラインが水平方向または前下がりに傾斜していてもよい。特に、第１右ポケット袋布１２Ｒにより形成される収容空間が後下方向である場合、開口部１２１Ｒの縁部のラインは前下がりであることが望ましい。第１左ポケット袋布１２Ｌの開口部１２１Ｌに関しても同様である。
【００７９】
（６）上述した実施形態においては、ズボン１は着用者の脚を足首近くまで覆ういわゆる長ズボンである。ズボン１が着用者の脚のどの範囲を覆うかは限定されない。例えば、ズボン１が着用者の脚を膝上辺りまで覆ういわゆる半ズボンとして構成されてもよい。
【００８０】
（７）図１〜図４に示されるズボン１のデザインは一例であって、様々に変更可能である。例えば、第１右ポケット袋布１２Ｒの開口部１２１Ｒと第２右ポケット袋布１３Ｒの開口部１３１Ｒは、これらの開口部の前側の端点が一致するように配置される。これに代えて、第１右ポケット袋布１２Ｒの開口部１２１Ｒと第２右ポケット袋布１３Ｒの開口部１３１Ｒが、これらの開口部の前側の端点が上下方向にずれた位置となるように配置されてもよい。
【００８１】
（８）上述した実施形態において、ズボン１は第１右ポケット袋布１２Ｒ、第２右ポケット袋布１３Ｒ、第１左ポケット袋布１２Ｌおよび第２左ポケット袋布１３Ｌの計４つのポケット袋布を有する。ズボン１が有するポケット袋布の数は１以上であれば限定されない。例えば、第１右ポケット袋布１２Ｒと第１左ポケット袋布１２Ｌのみを備える構成、第１右ポケット袋布１２Ｒと第２右ポケット袋布１３Ｒのみを備える構成、第１右ポケット袋布１２Ｒと第２右ポケット袋布１３Ｒに加え第２右ポケット袋布１３Ｒの内側にさらに第３のポケット袋布を設ける構成など、いずれの構成が採用されてもよい。
【００８２】
（９）本願において、ズボンは着用者の腰を覆う筒状体と、右脚の少なくとも一部を覆う筒状体と、左脚の少なくとも一部を覆う筒状体とが互いに連結された衣服を総称する言葉として用いられる。従って、スラックス、パンツ等の呼称で呼ばれる衣服であっても、同様の構成を備える衣服は本願におけるズボンに含まれる。
【符号の説明】
【００８３】
１…ズボン、１１Ｒ…右身頃、１１Ｌ…左身頃、１２Ｒ…第１右ポケット袋布、１２Ｌ…第１左ポケット袋布、１３Ｒ…第２右ポケット袋布、１３Ｌ…第２左ポケット袋布、１１１Ｒ…右前身頃、１１１Ｌ…左前身頃、１１２Ｒ…右後ろ身頃、１１２Ｌ…左後ろ身頃、１１３Ｒ…縫い合わせライン、１１３Ｌ…縫い合わせライン、１２１Ｒ…開口部、１２１Ｌ…開口部、１２２Ｒ…プリーツ、１２２Ｌ…プリーツ、１３１Ｒ…開口部、１３１Ｌ…開口部、２…ズボン、２１１Ｒ…右前身頃、２１２Ｒ…右後ろ身頃、２１３Ｒ…縫い合わせライン、２２Ｒ…右ポケット袋布、２２１Ｒ…開口部、９…ズボン、９１Ｒ…右身頃、９１Ｌ…左身頃、９２Ｒ…右前ポケット袋布、９２Ｌ…左前ポケット袋布、９３Ｒ…右後ポケット袋布、９３Ｌ…左後ポケット袋布、９１１Ｒ…右前身頃、９１１Ｌ…左前身頃、９１２Ｒ…右後ろ身頃、９１２Ｌ…左後ろ身頃、９１３Ｒ…縫い合わせライン、９１３Ｌ…縫い合わせライン、９２１Ｒ…開口部、９２１Ｌ…開口部、１０…ズボン、１００Ｒ…右前身頃、１００Ｌ…左前身頃、１０１Ｒ…右前ポケット袋布、１０１Ｌ…左前ポケット袋布、１０１１Ｒ…開口部、１０１１Ｌ…開口部。
【図１】
2017172079.tif 000003
【図２】
2017172079.tif 000004
【図３】
2017172079.tif 000005
【図４】
2017172079.tif 000006
【図５】
2017172079.tif 000007
【図６】
2017172079.tif 000008
【図７】
2017172079.tif 000009
【図８】
2017172079.tif 000010
【図９】
2017172079.tif 000011
【図１０】
2017172079.tif 000012
【図１１】
2017172079.tif 000013
【図１２】
2017172079.tif 000014